(57)【要約】【課題】  直列ユニットを壁に設置するときの作業性を向上させる。【解決手段】  内部に空洞を有する導電性のシールドケースに、中心導体及び前記中心導体と同心的に設けられた外部導体を有する複数個の同軸ケーブル接続端子、及び壁面設置用部材に固定する突起部を設け、前記シールドケースの空洞内にプリント回路板を設けてなり、前記各同軸ケーブル接続端子の中心導体同士は前記プリント回路板により電気的に接続され、前記各同軸ケーブル端子の外部導体同士は前記シールドケースにより電気的に接続された直列ユニットであって、前記同軸ケーブル接続端子は、前記シールドケースの第１の面に設けられた受信機接続端子及び前記シールドケースの第１の面の裏面の近傍に設けられた入力端子及び出力端子からなり、前記入力端子または前記出力端子のいずれか、もしくは両方が、同心軸と直交する軸を回転軸として、１８０度以上回転する直列ユニットである。【選択図】      図５
2005044655.tif 000002
【特許請求の範囲】
【請求項１】
内部に空洞を有する導電性のシールドケースに、中心導体及び前記中心導体と同心的に設けられた外部導体を有する複数個の同軸ケーブル接続端子、及び壁面設置用部材に固定する突起部を設け、前記シールドケースの空洞内にプリント回路板を設けてなり、前記各同軸ケーブル接続端子の中心導体同士は前記プリント回路板により電気的に接続され、前記各同軸ケーブル端子の外部導体同士は前記シールドケースにより電気的に接続された直列ユニットであって、
前記同軸ケーブル接続端子は、前記シールドケースの第１の面に設けられた受信機接続端子及び前記シールドケースの第１の面の裏面の近傍に設けられた入力端子及び出力端子からなり、
前記入力端子または前記出力端子のいずれか、もしくは両方が、同心軸と直交する軸を回転軸として、１８０度以上回転することを特徴とする直列ユニット。
【請求項２】
前記入力端子または前記出力端子のうち、１８０度以上回転する端子は、
前記外部導体に、一対の回転支点部を有し、前記回転支点部の一方に、前記中心導体と電気的に接続される中心コンタクトを挿入する開口部を有し、
前記シールドケースは、前記第１の面と直交する第２の面にプリント回路板を収容するための開口部を有する第１部材と、前記第１部材の開口面を覆う第２部材とからなり、
前記シールドケースの第１部材は、前記外部導体の回転支点部を支持するとともに、前記中心コンタクトを前記プリント回路板に接続するための端子取付用開口部を有し、
前記１８０度回転する端子は、前記中心コンタクトを挿入する開口部を有する回転支点部が前記第１部材の端子取付用開口部で支持され、他方の回転支点部が、前記第１部材に取り付けた押さえ金具で支持されていることを特徴とする請求項１に記載の直列ユニット。
【請求項３】
前記入力端子及び前記出力端子のうち、回転しない端子は、前記シールドケースの第１部材の前記第２の面の裏面に設けられていることを特徴とする請求項１または請求項２に記載の直列ユニット。
【請求項４】
前記プリント回路板は、フィルター機能を有し、
前記シールドケースの第１部材は、前記第２の面の裏面に、前記プリント回路板に設けられたフィルター機能のオン／オフを切り替えるスイッチを取り付けるためのスイッチ取付用開口部を有することを特徴とする請求項１乃至請求項３のいずれか１項に記載の直列ユニット。
【発明の詳細な説明】
【技術分野】
【０００１】
本発明は、室内の受信機と室外のアンテナ等を同軸ケーブルで接続するために壁面に設置する直列ユニットに関し、特に、室内の受信機と接続するための端子が１つの直列ユニットに適用して有効な技術に関するものである。
【背景技術】
【０００２】
従来、テレビ受像器等の受信機と、室外のテレビアンテナやテレビ信号送信ケーブル等を同軸ケーブルで接続するには、直列ユニットが用いられる。
【０００３】
前記直列ユニットは、内部に空洞を有する導電性のシールドケースに、中心導体及び前記中心導体と同心的に設けられた外部導体を有する同軸ケーブル接続端子が複数個設けられている。またこのとき、前記シールドケースの空洞には、プリント回路板が設けられており、前記各同軸ケーブル接続端子の中心導体同士は、前記プリント回路板を介して電気的に接続されている。また、前記各同軸ケーブル接続端子の外部導体同士は、前記シールドケースにより電気的に接続されている。
【０００４】
前記直列ユニットの同軸ケーブル接続端子は、例えば、図７（ａ）に示すように、前記シールドケース１０１の第１の面１Ａに１つ、前記第１の面１Ａと直交する面１Ｃに２つ設けられている。前記直列ユニット１は、通常、室内の壁に設置して使用され、壁に設置するときには、前記第１の面１Ａの端子１０２が室内に突出するように設置する。すなわち、前記シールドケースの第１の面１Ａに設けた同軸ケーブル接続端子１０２は、室内のテレビ受像器等の受信機と同軸ケーブルで接続する端子である。以下、前記第１の面１Ａの端子１０２を受信機接続端子と称する。
【０００５】
一方、前記第１の面１Ａと直交する面１Ｃに設けられた２つの端子１０３，１０４は、壁に設置するときに、前記壁の内部空間側に位置する端子であり、室外のテレビアンテナ等と接続し、壁の内部空間に敷設した同軸ケーブルを接続する端子や、他の直列ユニットに信号を分配するための端子である。以下、前記第１の面１Ａと直交する面１Ｃに設けられた２つの端子１０３，１０４を、入力端子１０３及び出力端子１０４と称する。
【０００６】
前記直列ユニット１を壁に設置するときには、前記壁に、内部空間に通じる開口部を設け、前記内部空間に敷設された同軸ケーブルを前記入力端子１０３や出力端子１０４に接続する。そして、前記直列ユニット１のシールドケース１０１に設けられた突起１Ｅを利用して前記直列ユニット１に壁面設置用部材を取り付け、前記壁面設置用部材と前記壁、あるいは前記壁に埋め込んだ箱状の部材（アウトレットボックス）をねじや釘で固定する。
【０００７】
また、前記壁面設置用部材を用いて前記直列ユニット１を設置しただけでは、前記壁の開口部から室内の埃や水分が壁の内部空間に進入してショート、あるいはシールドケース１０１や同軸ケーブルの劣化が起こりやすくなる。そのため、化粧パネル及び化粧プレートをかぶせて、前記壁の開口部を覆う。このとき、前記化粧パネルは、例えば、前記直列ユニット１のシールドケース１０１に設けた化粧パネル取付部１Ｆに取り付ける。
【０００８】
しかしながら、図７（ａ）に示したように、前記入力端子１０３及び出力端子１０４が、前記シールドケース１０１の同じ面１Ｃに設けられている場合、端子間の距離が狭いと、同軸ケーブルを接続するときの作業性が悪い。
【０００９】
また、図７（ａ）に示したように、前記受信機接続端子１０２が１つの直列ユニット１の場合、壁の開口部の中心付近に設置すれば、化粧プレートをかぶせたときに、化粧プレートの中心に受信機接続端子１０２がくるので、外観上の見栄えがよい。ところが、前記入力端子１０３及び出力端子１０４が同じ面１Ｃに設けられていると、同軸ケーブルを接続した後、前記壁面設置用部材を利用して直列ユニット１を壁に設置するときに、接続した同軸ケーブルの引き回しが難しく、前記直列ユニット１を壁の開口部の中心付近に設置することが難しい。そのため、設置時の作業性を優先させて、前記壁の開口部の端部付近に取り付けることもあるが、その場合、前記受信機接続端子１０２の位置が化粧プレートの中心からずれるので、外観上の見劣りがある。
【００１０】
また、前記壁の内部空間の同軸ケーブルの敷設方法によっては、例えば、図７（ｂ）に示すように、前記入力端子１０３に接続する同軸ケーブルが前記シールドケース１０１の前記入力端子１０３及び出力端子１０４を設けた面１Ｃ側から引き回され、前記出力端子１０４に接続する同軸ケーブルが前記シールドケースの面１Ｃの裏面１Ｂ側から引き回されていることがある。そのような場合、図７（ｂ）に示したように、前記入力端子１０３及び出力端子１０４が同じ面１Ｃに設けられた直列ユニット１だと、前記出力端子１０４に接続する同軸ケーブルに大きな曲げ変形が加わり、信号が劣化しやすくなる。そのため、入力端子１０３及び出力端子１０４に接続する同軸ケーブルの引き回し方向が逆方向の場合、図７（ｃ）に示すように、例えば、シールドケース１０１の第１の面１Ａと直交する面の１つ１Ｃに入力端子１０３を設け、前記入力端子１０３を設けた面１Ｃの裏面１Ｂに出力端子１０４を設けた直列ユニットを用いる。
【００１１】
しかしながら、従来の直列ユニット１の場合、前記入力端子１０３及び出力端子１０４は、前記シールドケース１０１に固定されているので、壁の内部空間に敷設した同軸ケーブルの引き回し方向に応じて、図７（ａ）に示したような直列ユニットか、図７（ｂ）に示したような直列ユニットの、どちらかを選択しなければならない。
【発明の開示】
【発明が解決しようとする課題】
【００１２】
本発明が解決しようとする問題点は、図７（ａ）に示したように、シールドケース１０１の同じ面１Ｃに前記入力端子１０３及び出力端子１０４が設けられている直列ユニットの場合、壁に設置するときの作業性が悪いという点である。
【００１３】
また、別の問題点は、前記直列ユニット１を壁に設置するときに、入力端子１０３及び出力端子１０４の設け方が異なる直列ユニットの中から、設置場所に適した直列ユニットを選択しなければならないという点である。
【００１４】
本発明の目的は、直列ユニットを壁に設置するときの作業性を向上させることが可能な技術を提供することにある。
【００１５】
本発明の他の目的は、壁の内部空間に敷設された同軸ケーブルの引き回し方向に対する多様性を高めることが可能な技術を提供することにある。
【００１６】
本発明の前記ならびにその他の目的と新規な特徴は、本明細書の記述及び添付図面によって明らかになるであろう。
【課題を解決するための手段】
【００１７】
本願において開示される発明の概略を説明すれば、以下の通りである。
【００１８】
（１）  内部に空洞を有する導電性のシールドケースに、中心導体及び前記中心導体と同心的に設けられた外部導体を有する複数個の同軸ケーブル接続端子、及び壁面設置用部材に固定する突起部を設け、前記シールドケースの空洞内にプリント回路板を設けてなり、前記各同軸ケーブル接続端子の中心導体同士は前記プリント回路板により電気的に接続され、前記各同軸ケーブル端子の外部導体同士は前記シールドケースにより電気的に接続された直列ユニットであって、前記同軸ケーブル接続端子は、前記シールドケースの第１の面に設けられた受信機接続端子及び前記シールドケースの第１の面の裏面の近傍に設けられた入力端子及び出力端子からなり、前記入力端子または前記出力端子のいずれか、もしくは両方が、同心軸と直交する軸を回転軸として、１８０度以上回転する。
【００１９】
（２）  前記（１）の手段において、前記入力端子または前記出力端子のうち、１８０度以上回転する端子は、前記外部導体に、一対の回転支点部を有し、前記回転支点部の一方に、前記中心導体と電気的に接続される中心コンタクトを挿入する開口部を有し、前記シールドケースは、前記第１の面と直交する第２の面にプリント回路板を収容するための開口部を有する第１部材と、前記第１部材の開口面を覆う第２部材とからなり、前記シールドケースの第１部材は、前記外部導体の回転支点部を支持するとともに、前記中心コンタクトを前記プリント回路板に接続するための端子取付用開口部を有し、前記１８０度回転する端子は、前記中心コンタクトを挿入する開口部を有する回転支点部が前記第１部材の端子取付用開口部で支持され、他方の回転支点部が、前記第１部材に取り付けた押さえ金具で支持されている。
【００２０】
（３）  前記（１）または（２）の手段において、前記入力端子及び前記出力端子のうち、回転しない端子は、前記シールドケースの第１部材の前記第２の面の裏面に設けられている。
【００２１】
（４）  前記（１）乃至（３）のいずれかの手段において、前記プリント回路板は、フィルター機能を有し、前記シールドケースの第１部材は、前記第２の面の裏面に、前記プリント回路板に設けられたフィルター機能のオン／オフを切り替えるスイッチを取り付けるためのスイッチ取付用開口部を有する。
【発明の効果】
【００２２】
本発明の直列ユニットは、前記（１）の手段のように、前記入力端子または出力端子の一方、あるいは両方が１８０度回転するので、例えば、前記入力端子と出力端子の同心軸が異なる向きになるようにすれば、同軸ケーブルを接続するときの作業性が向上する。また、同軸ケーブルを接続するときに異なる向きにしていても、接続後に、前記入力端子と出力端子の同心軸の方向を揃えれば、従来の、同じ面に入力端子と出力端子が設けられた直列ユニットと同じように扱うことができる。
【００２３】
また、前記入力端子、あるいは出力端子を１８０度回転させれば、前記入力端子と出力端子の向きが反対になり、入力端子が設けられた面の裏面に出力端子が設けられた直列ユニットと同じように扱うことができる。そのため、１つの直列ユニットで２通りの使い方ができる。
【００２４】
また、前記（１）の手段において回転する端子は、例えば、前記（２）の手段のように、外部導体に設けた回転支点部に開口部を設けて、前記開口部に中心コンタクトを挿入して前記中心導体を外部に引き出しておけば、前記中心導体同士の電気的接続、及び前記外部導体同士の電気的接続を確保したまま回転させることができる。そのため、前記入力端子の同心軸と前記出力端子の同心軸のなす角度を０度から１８０度まで連続的に変えることができ、壁に設置するときの同軸ケーブルの引き回し作業が容易になる。
【００２５】
また、前記直列ユニットでは、前記入力端子あるいは出力端子のどちらか一方が回転すれば、前記入力端子の同心軸と前記出力端子の同心軸の角度を０度から１８０度まで変えることができる。そのため、前記入力端子あるいは出力端子のどちらか一方のみを回転させる場合、前記（３）の手段のように、回転しない方の端子は、前記シールドケースの第１部材の第２の面の裏面に設ける。
【００２６】
また、前記直列ユニットは、通常、前記シールドケースに内蔵されたプリント回路板にフィルター機能（フィルター回路）が設けられている。そのため、前記シールドケースの第１部材の前記第２の面の裏面に、前記フィルター機能のオン／オフを切り替えるスイッチを取り付けるためのスイッチ取付用開口部を設けることが好ましい。
【００２７】
以下、本発明について、図面を参照して実施の形態（実施例）とともに詳細に説明する。
なお、実施例を説明するための全図において、同一機能を有するものは、同一符号を付け、その繰り返しの説明は省略する。
【発明を実施するための最良の形態】
【００２８】
本発明の直列ユニットでは、壁に設置したときに壁の内部空間側に位置する入力端子または出力端子のいずれか、もしくは両方を１８０度回転させることで、壁に設置するときの作業性を向上させるとともに、壁の内部空間に敷設された同軸ケーブルの引き回しに対する多様性を高める。
【実施例】
【００２９】
図１乃至図４は、本発明による一実施例の直列ユニットの概略構成を示す模式図であり、図１（ａ）は直列ユニットの正面図及び左側面図、図１（ｂ）は図１（ａ）の正面図に対する裏面図、図２は図１（ｂ）と同じ方向から見た直列ユニットの内部構成を示す図、図３（ａ）は回転する端子の外観を示す図、図３（ｂ）は図３（ａ）の図に対する上面図、図３（ｃ）は図３（ａ）のＡ−Ａ’線方向で切ったときの内部構造を示す図、図３（ｄ）は図３（ｂ）のＢ−Ｂ’線方向で切ったときの内部構造を示す図、図４は図２と同じ方向から見た直列ユニットの分解図である。
図１乃至図４の各図において、１は直列ユニット、１０１はシールドケース、１０１ａは第１部材、１０１ｂは第２部材、１０２は受信機接続端子（同軸ケーブル接続端子）、１０２ａは中心導体、１０２ｂ，１０２ｃは支持絶縁体、１０３は入力端子（同軸ケーブル接続端子）、１０４は出力端子（同軸ケーブル接続端子）、１０４ａは出力端子の外部導体、１０４ｂは回転支点部、１０４ｃは中心導体、１０４ｄは回転支点部の開口部、１０４ｅは支持絶縁体、１Ａは第１の面、１Ｂは第２の面、１Ｃは第２の面の裏面、１Ｄは端子取付用開口部、１Ｅは壁面設置用部材取付用の突起部、１Ｆは化粧パネル取付部、２はプリント回路板、３は中心コンタクト、４は押さえ金具、５はねじである。
【００３０】
本実施例の直列ユニット１は、図１（ａ）及び図１（ｂ）、ならびに図２に示すように、内部に空洞を有する導電性のシールドケース１０１に、中心導体及び前記中心導体と同心的に設けられた同軸ケーブル接続端子１０２，１０３，１０４が３個設けられている。このとき、前記シールドケース１０１は、前記同軸ケーブル接続端子の１つ１０２が設けられた第１の面１Ａと直交する第２の面１Ｂが開口した第１部材１０１ａと前記第１部材１０１ａの開口部をふさぐ第２部材１０１ｂからなり、前記第１部材１０１ａと第２部材１０１ｂにより形成された空洞にはプリント回路板２が設けられている。またこのとき、前記各同軸ケーブル接続端子１０２，１０３，１０４の中心導体同士は、前記プリント回路板２により電気的に接続される。また、前記各同軸ケーブル接続端子１０２，１０３，１０４の外部導体同士は、前記シールドケース１０１により電気的に接続される。
【００３１】
また、前記同軸ケーブル接続端子のうち、前記シールドケース１０１の第１の面１Ａに設けられた同軸ケーブル接続端子１０２は、前記直列ユニット１を室内の壁に設置したときに、室内に突出する端子であり、室内のテレビ受像器等の受信機と同軸ケーブルで接続される。以下、前記第１の面１Ａに設けた同軸ケーブル接続端子１０２を、受信機接続端子と称する。またこのとき、前記受信機接続端子１０２の外部導体は、例えば、図２に示したように、前記シールドケース１０１（１０１ａ）と一体的に設けられており、外部導体の内部には、前記シールドケースの空洞と通じる開口部が設けられている。このとき、前記受信機接続端子１０２の中心導体１０２ａは、前記外部導体の内部に設けた支持絶縁体１０２ｂにより同心軸付近に支持されており、その一端は、前記外部導体内部の開口部を通って前記プリント回路板２と接続されている。
【００３２】
また、前記同軸ケーブル接続端子のうち、残りの２つの端子１０３，１０４は、前記直列ユニット１を室内の壁に設置したときに、壁の内部空間側に位置し、前記内部空間に敷設された同軸ケーブルと接続する端子である。以下、前記２つの端子１０３，１０４をそれぞれ、入力端子１０３及び出力端子１０４と称する。
【００３３】
また、本実施例の直列ユニット１では、前記入力端子１０３は、図１（ａ）に示したように、前記シールドケースの第１部材１０１ａの第２の面（開口した面）１Ｂの裏面の第３の面１Ｃに固定されているものとする。このとき、図示は省略するが、前記入力端子１０３は、例えば、前記受信機接続端子１０２と同様に、前記シールドケース１０１（１０１ａ）と一体的に設けられた外部導体の内部に前記シールドケースの空洞と通じる開口部が設けられており、支持絶縁体で前記外部導体と同心的に支持された中心導体の一端が、前記開口部を通って前記プリント回路板２と接続されている。
【００３４】
また、前記出力端子１０４は、例えば、図２，図３（ａ），図３（ｂ），図３（ｃ）及び図３（ｄ）に示すように、外部導体１０４ａの表面に一対の回転支点部１０４ｂが設けられており、前記回転支点部１０４ｂの一方には、前記外部導体の内部に設けられた中心導体１０４ｃと電気的に接続される中心コンタクト３を挿入するための開口部１０４ｄが設けられている。このとき、前記中心コンタクト３は、前記外部導体の内部に設けられた支持絶縁体１０４ｅにより、前記回転支点部１０４ｂの回転軸上で前記中心導体１０４ｃと接続するように支持される。またこのとき、前記中心コンタクト３の一端は、前記シールドケースの第１部材１０１ａに設けられた端子取付用開口部１Ｄを通って前記プリント回路板２と接続されている。またこのとき、前記出力端子１０４の外部導体１０４ａに設けられた回転支点部１０４ｂは、図４に示すように、前記第１部材１０１に設けられた端子取付用開口部１Ｄ及び押さえ金具４で挟むように支持されており、前記押さえ金具４は、例えば、ねじ５で前記第１部材１０１ａに固定されている。
【００３５】
また、詳細な説明は省略するが、前記プリント回路板２には、通常、フィルター機能（フィルター回路）が設けられている。そのため、前記シールドケース１の第１部材１０１ａの前記第３の面１Ｃには、前記フィルター機能のオン／オフを切り替えるスイッチを取り付けるためのスイッチ取付用開口部（図示しない）が設けられており、前記スイッチ取付用開口部に取り付けたスイッチ６をスライドさせることで、プリント回路板２に設けたフィルター機能のオン／オフを切り替える。
【００３６】
また、前記シールドケース１０１の第１部材１０１ａには、前記直列ユニット１を壁に設置するときに用いる壁面設置用部材を取り付けるための突起１Ｅ及び、化粧パネルを取り付けるための取付部１Ｆが設けられている。
【００３７】
図５は、本実施例の直列ユニットの作用効果を説明するための模式図であり、図５（ａ）は出力端子の可動範囲を示す図、図５（ｂ）及び図５（ｃ）は使用例を示す図である。
【００３８】
本実施例の直列ユニットでは、前記出力端子１０４の外部導体１０４ａが前記シールドケース１０１と一体的になっておらず、前記外部導体１０４ａに設けられた回転支点部１０４ｂを前記シールドケース１０１の第１部材１０１ａ及び前記押さえ金具４で挟むようにして支持することで、前記出力端子１０４の外部導体１０４ａと前記シールドケース１０１の電気的接続が確保されている。そのため、図５（ａ）に示したように、前記出力端子１０４の同心軸と直交する方向を回転軸として回転させることができる。このとき、図１（ａ）及び図１（ｂ）に示したように、前記シールドケース１０１の、前記出力端子１０４と重なる領域があいていれば、前記出力端子１０４を１８０度以上回転させることができる。そのため、前記直列ユニット１を室内の壁に設置する作業において、壁の内部空間に敷設した同軸ケーブルを室内に引き出して前記入力端子１０３及び出力端子１０４に接続するときに、隣の端子が邪魔にならないような方向に前記各端子１０３，１０４を回転させて接続することができ、同軸ケーブルを接続するときの作業性が向上する。
【００３９】
また、本実施例の直列ユニット１では、前記出力端子１０４を回転させることができ、前記入力端子１０３の同心軸と前記出力端子１０４の同心軸のなす角を０度から１８０度まで連続的に変えることが可能である。そのため、前記直列ユニットを壁に設置するときには、例えば、図５（ｂ）に示したように、前記出力端子１０４を前記入力端子１０３と同じ方向、すなわち前記第３の面１Ｃから突出したような状態にすることもできるし、図５（ｃ）に示すように、前記入力端子１０３とは反対方向、すなわち前記第２の面１Ｂから突出したような状態にすることもできる。つまり、本実施例の直列ユニット１つで、前記従来の、図７（ａ）に示した直列ユニットの構成と、及び図７（ｂ）に示した直列ユニットの構成の２通りの構成を実現することができる。そのため、前記壁の内部空間に敷設された同軸ケーブルの引き回し方向に応じて、前記出力端子１０４の突出方向を切り替えれば、壁面設置時の同軸ケーブルの引き回しが容易になり、作業性が向上する。
【００４０】
以上説明したように、本実施例の直列ユニット１によれば、前記出力端子１０４が１８０度以上回転することにより、前記直列ユニット１を壁に設置するときの同軸ケーブルを接続する作業、壁面設置用部材を用いて壁に取り付ける作業等の作業性が向上する。そのため、例えば、本実施例の直列ユニット１のように前記受信機接続端子１０２が１つの場合に、前記直列ユニット１を壁の開口部の中心付近に設置することが容易になり、化粧プレートをかぶせたときに、前記受信機接続端子１０２が前記化粧プレートの中心にくるようにすることが容易になる。
【００４１】
また、前記出力端子１０４が１８０度以上回転することにより、前記出力端子が前記入力端子を設けた面から突出した状態でも、前記入力端子１０３を設けた面１Ｃの裏面１Ｂから突出した状態でも利用することができ、同軸ケーブルの引き回しに対する多様性が高くなる。
【００４２】
なお、本実施例では、前記入力端子１０３は前記シールドケース１０１の第３の面１Ｃに固定され、前記出力端子１０４が回転する直列ユニット１を例に挙げて説明したが、この逆で、前記入力端子１０３が回転し、前記出力端子１０４が前記シールドケース１０１に固定されている直列ユニットでも、同様の効果を得られることはいうまでもない。
【００４３】
図６は、前記実施例の応用例を説明するための模式図であり、入力端子及び出力端子がともに回転する直列ユニットの概略構成を示す正面図及び左側面図、ならびに右側面図である。
【００４４】
前記実施例では、前記入力端子１０３は前記シールドケース１０１の第３の面１Ｃに固定され、前記出力端子１０４が回転する直列ユニット１のように、前記出力端子１０４あるいは入力端子１０３のどちらか一方の端子が回転する直列ユニットを例に挙げて説明したが、これに限らず、前記入力端子１０３及び出力端子１０４がともに回転する直列ユニットであってもよい。この場合、例えば、図６に示すように、前記入力端子１０３及び前記出力端子１０４の両方を、前記実施例で説明した出力端子１０４と同様の構成の端子として外部導体に回転支点部を設け、各端子の回転支点部を、前記シールドケース１０１と前記押さえ金具４で挟むように支持してねじ５で固定することで、前記入力端子１０３及び出力端子１０４をともに回転させることができる。
【００４５】
以上、本発明を、前記実施例に基づき具体的に説明したが、本発明は、前記実施例に限定されるものではなく、その要旨を逸脱しない範囲において、種々変更可能であることはもちろんである。
【図面の簡単な説明】
【００４６】
【図１】本発明による一実施例の直列ユニットの概略構成を示す模式図であり、図１（ａ）は直列ユニットの平面図及び左側面図、図１（ｂ）は図１（ａ）の正面図に対する裏面図である。
【図２】本発明による一実施例の直列ユニットの概略構成を示す模式図であり、図１（ｂ）と同じ方向から見た直列ユニットの内部構成を示す図である。
【図３】本発明による一実施例の直列ユニットの概略構成を示す模式図であり、図３（ａ）は出力端子の外観を示す図、図３（ｂ）は図３（ａ）の図に対する上面図、図３（ｃ）は図３（ａ）のＡ−Ａ’線方向で切ったときの内部構成を示す図、図３（ｄ）は図３（ｂ）のＢ−Ｂ’線方向で切ったときの内部構成を示す図である。
【図４】本発明による一実施例の直列ユニットの概略構成を示す模式図であり、図２と同じ方向から見た直列ユニットの分解図である。
【図５】本実施例の直列ユニットの作用効果を説明するための模式図であり、図５（ａ）は動作を説明するための図、図５（ｂ）及び図５（ｃ）は使用例を示す図である。
【図６】前記実施例の直列ユニットの応用例を説明するための模式図であり、入力端子及び出力端子がともに回転する直列ユニットの概略構成を示す正面図及び左側面図、ならびに右側面図である。
【図７】従来の直列ユニットの概略構成を示す模式図である。
【符号の説明】
【００４７】
１…直列ユニット
１０１…シールドケース
１０１ａ…第１部材
１０１ｂ…第２部材
１０２…受信機接続端子（同軸ケーブル接続端子）
１０２ａ…中心導体
１０２ｂ，１０２ｃ…支持絶縁体
１０３…入力端子（同軸ケーブル接続端子）
１０４…出力端子（同軸ケーブル接続端子）
１０４ａ…出力端子の外部導体
１０４ｂ…回転支点部
１０４ｃ…中心導体
１０４ｄ…回転支点部の開口部
１０４ｅ…支持絶縁体
１Ａ…第１の面
１Ｂ…第２の面
１Ｃ…第２の面の裏面（第３の面）
１Ｄ…端子取付用開口部
１Ｅ…壁面設置用部材取付用の突起部
１Ｆ…化粧パネル取付部
２…プリント回路板
３…中心コンタクト
４…押さえ金具
５…ねじ
６…切り替えスイッチ
【図１】
2005044655.tif 000003
【図２】
2005044655.tif 000004
【図３】
2005044655.tif 000005
【図４】
2005044655.tif 000006
【図５】
2005044655.tif 000007
【図６】
2005044655.tif 000008
【図７】
2005044655.tif 000009